(57)【要約】【課題】放電ランプの調光時に検出電圧が変動した場合でも正常／異常の判断を正確に行い、誤動作を低減した放電灯点灯装置を提供する。【解決手段】放電ランプを点灯させる駆動回路と、放電ランプを調光するパルス幅変調（ＰＷＭ）信号を生成する調光制御部と、放電ランプに発生する直流電圧成分を検出する電圧検出回路と、検出した電圧をＰＷＭ信号の立ち上がり又は立ち下がりのいずれか一方を基準にして予め設定したタイミングで抽出する抽出部と、抽出した電圧を基準電圧と比較し、抽出電圧が予め設定した範囲内にある場合と前記設定範囲外にある場合とでそれぞれ異なる判別信号を生成する比較部と、ＰＷＭ信号及び比較部からの判別信号に応答して駆動回路を制御し、放電ランプの異常時に駆動回路の出力を規制する制御回路と、を備える。【選択図】図１
2010192303.tif 000002
【特許請求の範囲】
【請求項１】
直流電圧を交流電圧に変換して放電ランプに供給し、前記放電ランプを点灯させる駆動回路と、
前記放電ランプを調光するパルス幅変調信号を生成する調光制御部と、
前記放電ランプに発生する直流電圧成分を検出する電圧検出回路と、
前記電圧検出回路で検出した検出電圧を、前記パルス幅変調信号の立ち上がり又は立ち下がりのいずれか一方を基準にして予め設定したタイミングで抽出する抽出部と、
前記抽出部で抽出した電圧を基準電圧と比較し、前記抽出電圧が予め設定した範囲内にある場合と前記設定範囲外にある場合とでそれぞれ異なる判別信号を生成する比較部と、
前記パルス幅変調信号及び前記比較部からの判別信号に応答して前記駆動回路を制御し、前記放電ランプの異常時に前記駆動回路の出力を規制する制御回路と、を具備したことを特徴とする放電灯点灯装置。
【請求項２】
前記抽出部は、前記パルス幅変調信号のデューティに応じて前記検出電圧の抽出タイミングを変化させることを特徴とする請求項１記載の放電灯点灯装置。
【請求項３】
前記抽出部は、前記パルス幅変調信号の立ち上がり付近を避けたタイミングで前記検出電圧を抽出することを特徴とする請求項１記載の放電灯点灯装置。
【請求項４】
前記抽出部は、前記パルス幅変調信号の略立ち下がりのタイミングで前記検出電圧を抽出することを特徴とする請求項３記載の放電灯点灯装置。
【請求項５】
直流電圧を交流電圧に変換して放電ランプに供給し、前記放電ランプを点灯し、前記放電ランプをパルス幅変調信号によって調光し、
前記放電ランプに発生する直流電圧成分を検出し、
前記検出した電圧を、前記パルス幅変調信号の立ち上がり又は立ち下がりのいずれか一方を基準にして予め設定したタイミングで抽出し、
前記抽出した電圧を基準電圧と比較し、前記抽出電圧が予め設定した範囲内にある場合と前記設定範囲外にある場合とでそれぞれ異なる判別信号を生成し、
前記判別信号に応答して前記放電ランプに供給する交流電圧を規制することを特徴とする放電灯点灯装置。
【発明の詳細な説明】
【技術分野】
【０００１】
本発明は、放電灯点灯装置に係り、特に放電灯の寿命末期を検出して誤動作を防止するようにした放電灯点灯装置に関する。
【背景技術】
【０００２】
従来、液晶テレビのバックライト等に熱陰極放電灯（以下、放電ランプと称す）が用いられている。放電ランプは、フィラメントに塗布されている熱電子放出物質（エミッタ）が少なくなると、熱電子の放出ができなくなり半波放電現象が起きる。このようなエミッタレス状態（エミレス）は２つのフィラメントに同時に起こることは少なく、いずれか一方（片側）に発生する場合が多い。
【０００３】
放電ランプが寿命末期になりエミレス状態になると、点灯装置や放電ランプにストレスがかかり発火等の不具合を招くため、放電灯点灯装置には、放電ランプがエミレス状態になったことを検出して点灯手段であるインバータ回路の動作を停止させるようにしている。エミレス状態の検出は、例えば放電ランプに発生する直流電圧成分を検出して行い、検出電圧が予め設定した基準電圧の範囲内にあるか否かによって放電ランプの異常の有無を判断することができる。
【０００４】
特許文献１には、放電灯異常検出回路を備えた放電灯点灯装置が開示されている。この例では、ランプ電圧から直流電圧成分を検出し、検出した電圧を高低の異なる２つの基準電圧と比較し、検出電圧が２つの基準電圧間にあれば正常と判断し、検出電圧が両基準電圧よりも高い場合、或いは両基準電圧よりも低い場合は、異常と判断するようにしている。また正常時の検出電圧の増減に合わせて基準電圧を補正するようにしている。
【０００５】
しかしながら、このような放電灯点灯装置では、調光時に放電ランプの検出電圧が変動し、調光の立ち上がり時に検出電圧が基準電圧を越えることがあり、放電ランプが正常であるにも拘わらず異常と判断することがある。また調光時に放電ランプがエミレス状態になると、検出電圧が変動して基準電圧に近付くことがあり、放電ランプが異常であるにも拘わらず正常と判断することがある。このため放電ランプの調光時に、正常と異常の判断を正確に行うことができず、誤動作を招く可能性があった。
【先行技術文献】
【特許文献】
【０００６】
【特許文献１】特開平１０−３２１３８５号公報
【発明の概要】
【発明が解決しようとする課題】
【０００７】
従来の放電灯点灯装置では、調光時に放電ランプの検出電圧が変動し波打つ現象が発生した場合に、正常と異常の判断を正確に行うことができず、誤動作を招く可能性があった。
【０００８】
本発明は上記事情に鑑みて成されたもので、放電ランプの調光時に放電ランプの検出電圧が変動した場合でも検出電圧の抽出タイミングを設定することにより正常／異常の判断を正確に行い、誤動作を低減した放電灯点灯装置を提供することを目的とする。
【課題を解決するための手段】
【０００９】
上記課題を解決するために、本発明の放電灯点灯装置は、直流電圧を交流電圧に変換して放電ランプに供給し、前記放電ランプを点灯させる駆動回路と、前記放電ランプを調光するパルス幅変調信号を生成する調光制御部と、前記放電ランプに発生する直流電圧成分を検出する電圧検出回路と、前記電圧検出回路で検出した検出電圧を、前記パルス幅変調信号の立ち上がり又は立ち下がりのいずれか一方を基準にして予め設定したタイミングで抽出する抽出部と、前記抽出部で抽出した電圧を基準電圧と比較し、前記抽出電圧が予め設定した範囲内にある場合と前記設定範囲外にある場合とでそれぞれ異なる判別信号を生成する比較部と、前記パルス幅変調信号及び前記比較部からの判別信号に応答して前記駆動回路を制御し、前記放電ランプの異常時に前記駆動回路の出力を規制する制御回路と、を具備したことを特徴とする。
【００１０】
また本発明の放電灯点灯装置は、直流電圧を交流電圧に変換して放電ランプに供給し、前記放電ランプを点灯し、前記放電ランプをパルス幅変調信号によって調光し、前記放電ランプに発生する直流電圧成分を検出し、前記検出した電圧を、前記パルス幅変調信号の立ち上がり又は立ち下がりのいずれか一方を基準にして予め設定したタイミングで抽出し、前記抽出した電圧を基準電圧と比較し、前記抽出電圧が予め設定した範囲内にある場合と前記設定範囲外にある場合とでそれぞれ異なる判別信号を生成し、前記判別信号に応答して前記放電ランプに供給する交流電圧を規制することを特徴とする。
【発明の効果】
【００１１】
本発明によれば、調光時に放電ランプの検出電圧が変動しても放電ランプの正常／異常を正確に判別することができ、誤動作がなく確実性の高い放電灯点灯装置を提供することができる。
【図面の簡単な説明】
【００１２】
【図１】本発明の一実施形態に係る放電灯点灯装置の構成を示すブロック図。
【図２】同実施形態における非調光時の電圧検出回路の動作を説明する波形図。
【図３】同実施形態における調光時の電圧検出回路の動作を説明する波形図。
【図４】同実施形態における抽出部の動作を説明する波形図。
【図５】同実施形態における抽出部の動作の他の例を説明する波形図。
【図６】第２の実施形態における抽出部の動作を説明する波形図。
【図７】第２の実施形態における抽出部の動作の他の例を説明する波形図。
【図８】第３の実施形態における抽出部の動作を説明する波形図。
【図９】第３の実施形態における抽出部の動作の他の例を説明する波形図。
【図１０】第４の実施形態における抽出部の動作を説明する波形図。
【図１１】第４の実施形態における抽出部の動作の他の例を説明する波形図。
【図１２】本発明の一実施形態に係る放電ランプの異常判別動作を示すフローチャート。
【発明を実施するための形態】
【００１３】
以下、この発明の一実施の形態について図面を参照して詳細に説明する。
【実施例１】
【００１４】
図１は、本発明の一実施形態に係る放電灯点灯装置の構成を示すブロック図である。図１において、放電灯点灯装置１０は、電源回路１１、制御回路１２、予熱駆動回路１３、フィラメント加熱トランス１４、放電駆動回路１５、放電トランス１６、電圧検出回路１７、マイクロコンピュータ１８、コントローラ２１、及び熱陰極放電灯２２（以下、放電ランプ２２と称す）を備えている。
【００１５】
電源回路１１は、放電灯点灯装置１０に電源電圧を供給するものであり、商用交流電源を整流・平滑する直流電圧源、又はバッテリー電源で構成される。制御回路１２は、予熱駆動回路１３及び放電駆動回路１５を制御するものであり、電源オン時に予熱駆動回路１３を制御してフィラメント加熱トランス１４を駆動し、放電ランプ２２のフィラメントを予熱する。加熱トランス１４は、一次巻線Ｔ１と予熱巻線Ｔ２，Ｔ３を有し、予熱巻線Ｔ２，Ｔ３を放電ランプ２２のフィラメントに接続している。
【００１６】
制御回路１２は、コントローラ２１（後述）からの調光信号（ＰＷＭ信号）やＯＮ／ＯＦＦ信号に応じて放電駆動回路１５及び予熱駆動回路１３を制御する。放電駆動回路１５は、例えばスイッチングトランジスタＱ１，Ｑ２を含むインバータであり、スイッチングトランジスタＱ１，Ｑ２を高周波でスイッチングして直流電圧を高周波の交流電圧に変換する。高周波の交流電圧は、放電トランス１６を介して放電ランプ２２に供給され、放電ランプ２２を高周波点灯する。
【００１７】
また制御回路１２は、コントローラ２１からの調光信号（ＰＷＭ信号）に応じてトランジスタＱ１，Ｑ２の駆動を制御し、高周波の交流電圧が出力される期間（オンデューテイ）を変化させて調光を行う。
【００１８】
放電トランス１６は、一次巻線Ｔ１１と二次巻線Ｔ１２を有し、二次巻線Ｔ１２の一端を、直流カット用のコンデンサＣ１を介して放電ランプ２２の一方のフィラメントに接続している。二次巻線Ｔ１２の他端は接地され、二次巻線Ｔ１２の両端間にコンデンサＣ２を接続している。
【００１９】
電圧検出回路１７は、放電ランプ２２に発生する直流電圧成分を検出するものであり、放電ランプ２２のフィラメントとアース間に直列に接続した抵抗Ｒ１、Ｒ２と、抵抗Ｒ２と並列に接続したコンデンサＣ３を含み、コンデンサＣ３の両端の検出電圧Ｖ０をマイクロコンピュータ１８（以下、マイコン１８と称す）に供給する。
【００２０】
マイコン１８は、抽出部１９と比較部２０とを含む。抽出部１９は、調光信号（ＰＷＭ信号）をもとに検出電圧Ｖ０を所定のタイミングで抽出（サンプリング）するものであり、カウンタ１９１を有している。抽出した検出電圧Ｖ０１（以下、抽出電圧Ｖ０１と呼ぶ）は、比較部２０に出力され、比較部２０は、抽出電圧Ｖ０１を第１の基準電圧Ｖ１及び第２の基準電圧Ｖ２と比較する。
【００２１】
基準電圧Ｖ１とＶ２は、放電ランプ２２が正常なときの検出電圧Ｖ０をもとに設定され、Ｖ１＜Ｖ２とし、正常時であればＶ１＜Ｖ０＜Ｖ２に設定される。したがって比較部２０は、抽出部１９からの抽出電圧Ｖ０１が基準電圧Ｖ１とＶ２の範囲内にあるときにハイレベル（High）の判別信号を生成し、抽出電圧Ｖ０１が基準電圧Ｖ２以上、或いはＶ１以下のときはローレベル（Low）の判別信号を生成する。
【００２２】
こうしてマイコン１８は、放電ランプ２２が正常か異常かを判別し、判別信号を制御回路１２に供給する。制御回路１２は、判別信号をもとに放電ランプ２２がエミレス等によって異常がある場合は、放電駆動回路１５及び予熱駆動回路１３の出力を規制し、放電ランプ２２を消灯、或いは放電ランプ２２へ供給する電圧を所定の値以下に低下させる。
【００２３】
コントローラ２１は、例えば液晶テレビの制御部であり、バックライト（放電ランプ２２）の明るさを制御したり、バックライトの点灯や消灯（ＯＮ／ＯＦＦ）を制御する。バックライトの明るさは調光信号（ＰＷＭ信号のオンデューティ）を制御することによって変化する。したがって、コントローラ２１は、調光制御部を構成する。
【００２４】
次に本発明の放電灯点灯装置の動作を、図２、図３を参照して説明する。図１において、電源回路１１から制御回路１２に直流電圧が供給され、コントローラ２１からのＯＮ／ＯＦＦ信号がＯＮになると、制御回路１２は、予熱駆動回路１３を駆動して放電ランプ２２のフィラメントを予熱するとともに、放電駆動回路１５を駆動して放電ランプ２２に交流電圧を供給する。また制御回路１２は、コントローラ２１からの調光信号（ＰＷＭ信号）に応じてトランジスタＱ１，Ｑ２を駆動し、放電ランプ２２の調光を行う。
【００２５】
一方、電圧検出回路１７は、放電ランプ２２の高周波交流電圧を直流電圧に変換し、放電ランプ２２に発生する直流電圧成分を検出する。検出した電圧Ｖ０は、マイコン１８の抽出部１９に供給され、所定のタイミングで抽出される。比較部２０は、抽出した電圧Ｖ０１と基準電圧Ｖ１，Ｖ２とを比較する。ここでは、先ず抽出部１９が無いものと仮定して説明する。
【００２６】
図２は、放電ランプ２２の非調光時（オンデューティ１００％時）の検出電圧Ｖ０を説明する図である。図２（ａ）は調光信号を示し、常にハイレベルの信号が制御回路１２に供給される。図２（ｂ）に示すように、放電ランプ２２の非調光時は、放電駆動回路１５のトランジスタＱ１，Ｑ２は高周波でスイッチング動作する。放電ランプ２２が正常であれば、図２（ｃ）に示すように、電圧検出回路１７の検出電圧Ｖ０は比較部２０の基準電圧Ｖ１とＶ２の中間にある。
【００２７】
また放電ランプ２２の片側フィラメントがエミレス状態になると、電圧検出回路１７の検出電圧は、図２（ｃ）の一点鎖線Ｖ０’で示すように基準電圧Ｖ２よりも高くなる。また他方のフィラメントがエミレス状態になると、電圧検出回路１７の検出電圧は、点線Ｖ０”で示すように基準電圧Ｖ１よりも低くなる。
【００２８】
図３は、放電ランプ２２の調光時の検出電圧Ｖ０を説明する図である。図３（ａ）は調光信号を示し、１周期内でハイレベル期間とローレベル期間を有するパルス幅変調（ＰＷＭ）信号が制御回路１２に供給される。放電駆動回路１５のトランジスタＱ１，Ｑ２は、図３（ｂ）に示すように、ＰＷＭ信号がハイレベルの期間にスイッチング動作し、ＰＷＭ信号がローレベルの期間は動作を休止する。したがってＰＷＭ信号のオン期間の幅（オンデューティ）を制御することで放電ランプ２２のランプ電流が変化し、明るさを調整することができる。
【００２９】
調光時は、放電ランプ２２が正常であれば、電圧検出回路１７の検出電圧Ｖ０は、基準電圧Ｖ１とＶ２の間で変化し、基準電圧Ｖ１以下になったり、基準電圧Ｖ２以上になることはない。一方、放電ランプ２２がエミレス状態になると検出電圧は、図３（ｃ）の一点鎖線Ｖ０’或いは点線Ｖ０”で示すように変化し、基準電圧Ｖ１以下になったり、基準電圧Ｖ２以上になる。
【００３０】
比較部２０は、電圧検出回路１７からの検出電圧Ｖ０を基準電圧Ｖ１，Ｖ２と比較し、判別信号Ｖ３を出力する。判別信号Ｖ３は、検出電圧Ｖ０が基準電圧Ｖ１とＶ２の間にある場合は、ハイレベルを呈し、検出電圧Ｖ０が基準電圧Ｖ１よりも低い場合、或いは基準電圧Ｖ２よりも高い場合は、ローレベルとなる。
【００３１】
したがって制御回路１２は、比較部２０からのハイレベル又はローレベルの判別信号によって放電ランプ２２が正常か異常かを判別し、放電ランプ２２が異常の場合は、放電駆動回路１５及び予熱駆動回路１３の出力を規制し、例えば放電ランプ２２を消灯する。
【００３２】
ところで調光時は、放電ランプ２２の検出電圧が変動し、放電ランプが正常であるにも拘わらず検出電圧Ｖ０が基準電圧付近まで高くなることがある。即ち、図３（ｃ）の点線枠Ａで示すように、調光の立ち上がり時に検出電圧Ｖ０が基準電圧Ｖ２付近まで高くなる。
【００３３】
また調光時に放電光ランプ２２がエミレス状態になると検出電圧Ｖ０’が変動して、図３（ｃ）の点線枠Ｂで示すように、オフデューテイ期間に基準電圧Ｖ２に近付くことがある。さらに検出電圧Ｖ０”が変動して、図３（ｃ）の点線枠Ｃで示すように、オフデューテイ期間に基準電圧Ｖ１に近付くことがある。
【００３４】
したがって比較部２０は、放電ランプが正常であるにも拘わらず異常を示す判別信号を出力したり、放電ランプが異常であるにも拘わらず正常示す判別信号を出力する可能性がある。
【００３５】
そこで本発明の実施形態では、抽出部１９を設け、電圧検出回路１７からの検出電圧Ｖ０を所定のタイミングで抽出（サンプリング）し、抽出電圧Ｖ０１を比較部２０に供給し、比較部２０で抽出電圧Ｖ０１と基準電圧Ｖ１，Ｖ２とを比較する点に特徴がある。以下、抽出部１９における検出電圧Ｖ０の抽出方法について、幾つかの実施例を説明する。
【００３６】
図４は、放電ランプ２２の調光時（オンデューティ５０％）における電圧検出回路１７の検出電圧と、抽出部１９での抽出のタイミングを説明する図である。（ａ）は、オン期間とオフ期間がそれぞれ５０％の調光信号（ＰＷＭ信号）を示す。（ｂ）は、放電駆動回路１５の動作期間を示し、トランジスタＱ１，Ｑ２はＰＷＭ信号がハイレベルの期間にスイッチング動作し、ＰＷＭ信号がローレベルの期間に動作を休止する。図４（ｃ）は、放電ランプ２２がエミレス状態の検出電圧Ｖ０’を示し、（ｄ）は、放電ランプ２２が正常時の検出電圧Ｖ０を示す。
【００３７】
抽出部１９のカウンタ１９１にはＰＷＭ信号が供給されており、カウンタ１９１はＰＷＭ信号（ａ）の立ち上がりを基準にして所定の時間をカウントする。抽出部１９は、カウンタ１９１で所定の時間Ｔ１をカウントした時点（タイミングｔ１）で検出電圧Ｖ０又はＶ０’を抽出し、抽出電圧Ｖ０１（又はＶ０２）を比較部２０に供給する。時間Ｔ１はＰＷＭ信号の立ち上がりからオンデューティの中間付近までの時間に相当する。
【００３８】
Ｖ０１は、タイミングｔ１で検出電圧Ｖ０を抽出した電圧を示し、Ｖ０２は、タイミングｔ１で検出電圧Ｖ０’を抽出した電圧を示す。したがって、放電ランプ２２が正常であれば、抽出電圧Ｖ０１を比較部２０に出力し、放電ランプ２２が異常であれば、抽出電圧Ｖ０２を比較部２０に出力する。
【００３９】
比較部２０は、抽出電圧Ｖ０１又はＶ０２と、基準電圧Ｖ１，Ｖ２を比較するが、図４から分かるように、抽出電圧Ｖ０１は、比較電圧Ｖ１とＶ２の中間値にあるため、比較部２０からはハイレベルの判別信号が得られ、誤判断することはない。つまり、調光の立ち上がり時は検出電圧Ｖ０が基準電圧Ｖ２付近まで高くなるが、抽出のタイミングｔ１は調光の立ち上がり部分を避けているため、比較部２０からは正確な判別信号が得られる。
【００４０】
また抽出電圧Ｖ０２は、比較電圧Ｖ２よりも十分に高い値にあるため、比較部２０からはローレベルの判別信号が得られる。つまり、調光のオフデューテイの後半では検出電圧Ｖ０’が基準電圧Ｖ２付近まで低くなるが、抽出のタイミングｔ１は調光のオフデューテイ期間を避けているため、比較部２０からは正確な判別信号が得られる。つまり抽出部１９は、ＰＷＭ信号の立ち上がり付近（立ち上がりの直前や直後）を避けたタイミングで検出電圧Ｖ０（又はＶ０’）を抽出する。
【００４１】
図５は、ＰＷＭ信号のオン期間が短くオフ期間が長い場合（オンデューティ最小）の抽出タイミングを説明する図である。（ａ）は調光信号（ＰＷＭ信号）を示し、（ｂ）は放電駆動回路１５の動作期間を示す。（ｃ）は放電ランプ２２がエミレス状態の検出電圧Ｖ０’を示し、（ｄ）は放電ランプ２２が正常時の検出電圧Ｖ０を示す。
【００４２】
図５において、抽出部１９のカウンタ１９１は、ＰＷＭ信号（ａ）の立ち上がりを基準にして時間Ｔ１をカウントし、時間Ｔ１を経過した時点（タイミングｔ１）で検出電圧Ｖ０又はＶ０’を抽出する。時間Ｔ１は図４と同じである。Ｖ０３は、タイミングｔ１で検出電圧Ｖ０を抽出した電圧を示し、Ｖ０４は、タイミングｔ１で検出電圧Ｖ０’を抽出した電圧を示す。
【００４３】
図５から分かるように、抽出電圧Ｖ０３は、比較電圧Ｖ１とＶ２の中間値にあり、抽出電圧Ｖ０４は、比較電圧Ｖ２よりも十分に高い値にある。したがって比較部２０からは、図４の場合と同様に正確な判別信号が得られる。
【００４４】
このように、マイコン１８は、調光信号（ＰＷＭ信号）の立ち上がりを基準にして一定時間後に検出電圧を抽出して基準電圧と比較するため、調光時のデューティ比が違っても抽出電圧Ｖ０１とＶ０３（又はＶ０２とＶ０４）の差を小さくして抽出電圧を安定化させ、正常／異常の誤判断を防ぐことができる。
【実施例２】
【００４５】
次に本発明の第２の実施形態について、図６、図７を参照して説明する。第２の実施形態では、図６及び図７から分るように、抽出部１９のカウンタ１９１は、ＰＷＭ信号（ａ）の立ち下がりを基準にして所定の時間Ｔ２をカウントし、タイミングｔ２で検出電圧Ｖ０又はＶ０’を抽出する。
【００４６】
この実施形態においても、図６に示すように、タイミングｔ２での検出電圧Ｖ０の抽出電圧Ｖ０５は、比較電圧Ｖ１とＶ２の間にあり、検出電圧Ｖ０’の抽出電圧Ｖ０６は、比較電圧Ｖ２よりも十分に高い値にあるから、比較部２０からは正確な判別信号が得られる。
【００４７】
一方、オンデューティが最小である図７でも、タイミングｔ２での検出電圧Ｖ０の抽出電圧Ｖ０７は比較電圧Ｖ１とＶ２の間にあり、検出電圧Ｖ０’の抽出電圧Ｖ０８は比較電圧Ｖ２よりも十分に高い値にあるから、比較部２０からは正確な判別信号が得られる。
【００４８】
このように、マイコン１８は、調光信号（ＰＷＭ信号）の立ち下がりから一定時間後に検出電圧を抽出して基準電圧と比較するため、調光時のデューティ比が違っても抽出電圧Ｖ０５とＶ０７（又はＶ０６とＶ０８）の差を小さくすることができ、正常／異常の誤判断を防ぐことができる。
【実施例３】
【００４９】
次に本発明の第３の実施形態について、図８、図９を参照して説明する。第３の実施形態は、抽出部１９における抽出のタイミングを、ＰＷＭ信号の立ち上がりを基準にし、かつＰＷＭ信号のデューティに応じて変えるようにしたものである。
【００５０】
図８から分かるように、抽出部１９のカウンタ１９１は、ＰＷＭ信号（ａ）の立ち上がりを基準にして、ＰＷＭ信号（ａ）の立ち下がりまでの時間Ｔ３をカウントし、タイミングｔ３で検出電圧Ｖ０又はＶ０’を抽出する。したがって、図８におけるタイミングｔ３での検出電圧Ｖ０の抽出電圧Ｖ０９は比較電圧Ｖ１とＶ２の間にあり、検出電圧Ｖ０’の抽出電圧Ｖ１０は比較電圧Ｖ２よりも十分に高い値にあるから、比較部２０からは正確な判別信号が得られる。
【００５１】
一方、オンデューティが最小である図９の場合は、ＰＷＭ信号（ａ）の立ち上がりを基準にして、ＰＷＭ信号（ａ）の立ち下がりまでの時間Ｔ４をカウントし、タイミングｔ４で検出電圧Ｖ０又はＶ０’を抽出する。図９では、ＰＷＭ信号のオンデューティ期間が短くなっているため、時間Ｔ４は図８の時間Ｔ３よりも短く、Ｔ４＜Ｔ３に設定している。
【００５２】
したがって、タイミングｔ４での検出電圧Ｖ０の抽出電圧Ｖ１１は、比較電圧Ｖ１とＶ２の間にあり、検出電圧Ｖ０’の抽出電圧Ｖ１２は比較電圧Ｖ２よりも十分に高い値にあるから、比較部２０からは正確な判別信号が得られる。
【００５３】
尚、図８、図９では、ＰＷＭ信号の立ち下がりタイミングで検出電圧Ｖ０又はＶ０’を抽出しているが、必ずしも立ち下がりに一致させる必要はなく、ＰＷＭ信号の立ち下がり付近（立ち下がりの直前や直後）、つまり略立ち下がりのタイミングで抽出すればよい。
【００５４】
このように、マイコン１８は、調光信号（ＰＷＭ信号）の立ち上がりを基準にし、かつＰＷＭ信号のデューティに応じて抽出のタイミングを変えることにより、調光時のデューティ比が違っても抽出電圧Ｖ０９とＶ１１（又はＶ１０とＶ１２）の差を小さくすることができ、正常／異常の誤判断を防ぐことができる。
【実施例４】
【００５５】
次に本発明の第４の実施形態について、図１０、図１１を参照して説明する。第４の実施形態は、抽出部１９における抽出のタイミングを、ＰＷＭ信号の立ち下がりを基準にし、かつＰＷＭ信号のデューティに応じて変えるようにしたものである。
【００５６】
図１０から分かるように、抽出部１９のカウンタ１９１は、ＰＷＭ信号（ａ）の立ち下がりを基準にして、時間Ｔ５をカウントし、タイミングｔ５で検出電圧Ｖ０又はＶ０’を抽出する。図１０におけるタイミングｔ５での検出電圧Ｖ０の抽出電圧Ｖ１３は比較電圧Ｖ１とＶ２の間にあり、検出電圧Ｖ０’の抽出電圧Ｖ１４は比較電圧Ｖ２よりも十分に高い値にあるから、比較部２０からは正確な判別信号が得られる。
【００５７】
一方、オンデューティが最小である図１１の場合は、ＰＷＭ信号（ａ）の立ち下がりを基準にして、時間Ｔ６をカウントし、タイミングｔ６で検出電圧Ｖ０又はＶ０’を抽出する。時間Ｔ６は、図１０の時間Ｔ５よりも短く、Ｔ６＜Ｔ５に設定している。
【００５８】
したがって、タイミングｔ６での検出電圧Ｖ０の抽出電圧Ｖ１５は、比較電圧Ｖ１とＶ２の間にあり、検出電圧Ｖ０’の抽出電圧Ｖ１６は比較電圧Ｖ２よりも十分に高い値にあるから、比較部２０からは正確な判別信号が得られる。
【００５９】
このように、マイコン１８は、調光信号（ＰＷＭ信号）の立ち下がりを基準にし、かつＰＷＭ信号のデューティに応じて抽出のタイミングを変えることにより、調光時のデューティ比が違っても抽出電圧Ｖ１３とＶ１５（又はＶ１４とＶ１６）の差を小さくすることができ、正常／異常の誤判断を防ぐことができる。
【００６０】
尚、各実施形態において、電圧検出回路１７の検出電圧が図３のＶ０”で示すように基準電圧Ｖ１以下になる場合も、Ｖ０又はＶ０’を抽出するタイミングと同じタイミングで検出電圧Ｖ２”が抽出される。
【００６１】
図１２は、本発明の放電灯点灯装置における放電ランプの異常判別動作を示すフローチャートである。図１２において、Ｓ１は判別開始ステップであり、ステップＳ２では電圧検出回路１７によって、放電ランプ２２の直流電圧Ｖ０を検出する。ステップＳ３では抽出部１９によって、ＰＷＭ信号を基に立ち上がり又は立ち下がりから予め設定したタイミングで検出電圧Ｖ０を抽出する。
【００６２】
ステップＳ４では比較部２０によって、抽出した電圧と基準電圧Ｖ１，Ｖ２とを比較する。抽出電圧が基準電圧Ｖ１とＶ２の間にある場合は、ステップＳ５に進み、放電ランプ２２は正常でことを示す判別信号を生成する。
【００６３】
一方、ステップＳ４において、抽出電圧が基準電圧Ｖ１よりも低い場合、又は基準電圧Ｖ２よりも高い場合は、ステップＳ６に進み、放電ランプ２２は異常であることを示す判別信号を生成する。こうしてステップＳ７で判別処理を終了し、判別結果が制御回路１２に伝えられる。
【００６４】
以上説明したように本発明の実施形態によれば、検出回路１７からの検出電圧を抽出するタイミングをＰＷＭ信号の立ち上がり又は立ち下がり、或いはＰＷＭ信号のデューティ比をもとに設定することにより、マイコン１８は、調光時に放電ランプの検出電圧が変動しても放電ランプの正常／異常を正確に判別することができる。したがって誤動作がなく確実性の高い放電灯点灯装置を提供することができる。
【００６５】
尚、以上の実施形態では、液晶テレビのバックライト用の放電ランプを例にした点灯装置について説明したが、他の照明装置用の放電ランプに適用することもできる。また本発明の実施形態は、以上説明した例に限定されることなく、特許請求の範囲を逸脱しない範囲で種々の変形が可能である。
【符号の説明】
【００６６】
１０…放電灯点灯装置
１１…電源回路
１２…制御回路
１３…予熱駆動回路
１５…放電駆動回路
１７…電圧検出回路
１８…マイクロコンピュータ
１９…抽出部
１９１…カウンタ
２０…比較部
２１…コントローラ（調光制御部）
２２…放電ランプ
【図１】
2010192303.tif 000003
【図２】
2010192303.tif 000004
【図３】
2010192303.tif 000005
【図４】
2010192303.tif 000006
【図５】
2010192303.tif 000007
【図６】
2010192303.tif 000008
【図７】
2010192303.tif 000009
【図８】
2010192303.tif 000010
【図９】
2010192303.tif 000011
【図１０】
2010192303.tif 000012
【図１１】
2010192303.tif 000013
【図１２】
2010192303.tif 000014